(57)【要約】      （修正有）【課題】被洗浄物に含浸される洗浄液もしくは水を直接的に電解して、簡単な構成で洗浄力の向上をはかり、効率的にシミ抜きを行なおうとする。【解決手段】被洗浄部を水または洗浄液に含浸させた状態で、一対の電極５、６で挟持し、相対する電極５、６に電圧を印加する。被洗浄物に電解された洗浄液を容易に適用させることが出来る。また、被洗浄物は洗浄液が含浸された状態のまま挟持され電解電圧が印加されるので、含浸された洗浄液が電解されることになり、効率が良く、無駄な電力や洗浄液の消費がない。【選択図】図１
2016043026.tif 000002
【特許請求の範囲】
【請求項１】
被洗浄部を洗浄液に含浸させた状態で、一対の電極で挟持し、相対する電極に電圧を印加することを特徴とするシミ抜き方法。
【請求項２】
前記請求項１記載のシミ抜き方法において、被洗浄部を一方の電極側に片寄せで挟持することを特徴とするシミ抜き方法。
【請求項３】
前記請求項１または２記載のシミ抜き方法において、被洗浄部を隔膜とともに挟持することを特徴とするシミ抜き方法。
【請求項４】
前記請求項１ないし３のいずれかに記載のシミ抜き方法において、被洗浄部に洗浄液を供給させながら相対する電極に電圧を印加することを特徴とするシミ抜き方法。
【請求項５】
前記請求項１ないし４のいずれかに記載のシミ抜き方法において、被洗浄部を所定の圧力で維持させて、相対する電極に電圧を印加することを特徴とするシミ抜き方法。
【請求項６】
被洗浄部を挟持する挟持手段と、被洗浄部に電圧を印加する一対の電極とを備えたシミ抜き器。
【請求項７】
前記挟持手段には、洗浄液を蓄えることのできる貯液部が設けられ、貯液部から被洗浄部へ洗浄液が供給されるようにした請求項５記載のシミ抜き器。
【請求項８】
前記電極の少なくとも一方には、被洗浄物と電極面との間の距離を離間させるためのセパレーターが備わったことを特徴とする請求項５または６に記載のシミ抜き器。
【発明の詳細な説明】
【技術分野】
【０００１】
本発明は、衣類などの被洗浄物に付着したシミなどを物理的な機械力をかけることなく洗浄するシミ抜き方法及びシミ抜き器に関するものである。   
【背景技術】
【０００２】
従来、衣類のシミ抜きは、強力な洗剤を被洗浄物に投与したのちに揉むなどの物理的な手段で洗浄する方法が一般的である。しかし、シミなど部分的な汚れが頑固な場合、あまり効果が期待できない。そこで、クリーニング業界などでは、超音波や高圧の水の吹き付け、専用の高濃度洗剤など、部分的に効果を発揮する方法が部分洗いに応用されている。
【先行技術文献】
【特許文献】
【０００３】
【特許文献１】特開平７−２７５５７２号公報
【特許文献２】特開２００６−２０４５６２号公報
【発明の概要】
【発明が解決しようとする課題】
【０００４】
しかし、このような方法は、一般的な家庭では大掛かりな装置となることや高濃度洗剤の安全性等の問題で気軽に採用するには至らなかった。また、従来の機械力を与えて洗浄する方法は、原理が簡単で、機械も安価にでき、かつ全体的な洗浄効果もあるが、機械力で衣類を傷める欠点がある。また、衣類の襟の汚れや食品によるシミなど、部分的な汚れを落とすには十分な洗浄力が得られないという問題がある。   
【０００５】
ところで、水や水溶液は、電解させると、陰極側がアルカリ性、陽極側が酸性となることが知られており、また、洗剤や水にはシミ成分の種類、あるいは洗剤の成分によって洗浄に最適な液性が存在すると言われている。
さらには、水や洗浄液を電解すると電解により生成される生成物が洗浄能力を向上させる場合があることも知られている。
【０００６】
したがって洗浄液を電解させることで洗浄力を向上させることができると考えられるが、上記特許文献２に示すように電解槽を備えた電解装置は大掛かりなものとなり、一般家庭ではコスト的に導入は難しい。
【０００７】
本発明は上記課題を解決するもので、被洗浄物に含浸される洗浄液もしくは水を直接的に電解して、簡単な構成で洗浄力の向上をはかり、効率的にシミ抜きを行なおうとするものである。 
【課題を解決するための手段】
【０００８】
本発明の開示に係るシミ抜き方法は被洗浄部を洗浄液に含浸させた状態で、一対の電極で挟持し、相対する電極に電圧を印加するものである。   
【０００９】
このように本発明の開示によれば、被洗浄物に電解された洗浄液を容易に適用させることが出来る。また、被洗浄物は洗浄液が含浸された状態のまま挟持され電解電圧が印加されるので、含浸された洗浄液が電解されることになり、効率が良く、無駄な電力や洗浄液の消費がない。特にあて布のような含水性のある材質を被洗浄物とともに挟持するようにすれば洗浄力により離脱されたシミ成分を直ちにあて布に吸着させることが出来、よりシミ抜き効果が向上する。またシミなどの汚れの個所に対して直接的に電極により挟持するので、帯電されたシミ成分や汚れを電極側に電気的に引きつける力が作用し、シミ成分が離脱しやすくなり、更なる洗浄力の向上が期待できる。
【００１０】
加えて本発明のシミ抜き方法によれば、洗浄液が電解により洗浄力が向上するので電解前の状態では水や危険性の小さな洗浄液を使用出来る。したがって、強力な洗浄作用を有す高濃度な洗浄液を予め準備しておく必要もないので、使用者に対する肌荒れや誤飲による健康障害の虞も軽減できる。
【００１１】
更には、一方の電極の近傍がアルカリ性、他方の電極の近傍が酸性の洗浄液となるので、性質の異なる洗浄液をシミ成分に対して作用させることが出来、シミ成分の種類が複合化されている場合や最適な液性が不明な場合などに都合が良い。
【００１２】
また、本発明の開示に係るシミ抜き方法は必要に応じて、被洗浄部を一方の電極側に片寄せて挟持するものである。
【００１３】
このように本発明の開示によれば、被洗浄部を片寄せることにより被洗浄部が一方の電極に近づくため、例えば陰極側に被洗浄物を寄せると、よりアルカリ性の度合いが強い環境下にシミ成分をおくことが出来、シミ成分がアルカリ性の洗浄液に洗浄されやすい場合は高い洗浄効果を期待できる。逆にシミ成分の種類や洗浄液の仕様によっては酸性の環境下に置きたい場合には被洗浄部を陽極側によせるようにすることが可能であり、やはり高い洗浄力を期待できる。 
また上記片寄せのために、あて布のような含水性のある材質を被洗浄物とともに挟持するようにすれば洗浄力により離脱されたシミ成分を直ちに吸着させることが出来、よりシミ抜き効果が向上する。
【００１４】
また、本発明の開示に係るシミ抜き方法は必要に応じて、前記被洗浄部を隔膜とともに挟持するようにしたものである。   
【００１５】
このように本発明の開示によれば、隔膜を堺にして各電極の液性をアルカリ性側と酸性側で分離でき、より適切に被洗浄物に必要とする液性となった洗浄液を提供できる。
また上記隔膜を不織布のような多孔質材とすればあて布として作用し、離脱したシミ成分を直ちに吸着させることが出来、よりシミ抜き効果が向上する。
【００１６】
また、本発明の開示に係るシミ抜き方法は必要に応じて、被洗浄部に洗浄液を供給させながら相対する電極に電圧を印加するものである。
【００１７】
このように本発明の開示によれば、被洗浄物の乾燥を防止できるので、より良好に電解させることが出来る。なお、洗浄液の供給手段としては挟持手段に専用の貯液部を設けること以外にスポンジのような特に含浸性の優れた材質のものを、洗浄液を供給する目的で被洗浄物とともに挟持させる方法であっても良い。
また、洗浄液を蓄えた洗浄容器内に挟持された被洗浄物を漬けておくことも洗浄液の供給方法の一つである。この場合、上述のようなあて布は特に必要なく、また、片寄せ手段としては後述するような含浸性のないセパレーターも可能である。
洗浄容器の中の洗浄液は撹拌手段や振動手段により流動しやすくすればより良好に被洗浄物および電極に洗浄液を供給することが出来、未電解な  洗浄液が次々に供給され電解が連続して行われる。また、上記撹拌手段や振動手段が物理的にシミ成分に作用して離脱効果を促進できる効果もある。撹拌手段や振動手段は洗浄容器内に別途備える他、電極そのものを超音波振動させたり、挟持された洗浄物により洗浄液を撹拌させることも考えられる。
【００１８】
また、本発明の開示に係るシミ抜き方法は必要に応じて、被洗浄部を所定の圧力で維持させて、相対する電極に電圧を印加するものである。
【００１９】
このように本発明の開示によれば、被洗浄物に対して適切な挟持力で電圧を印加することが出来るので、挟持力が弱すぎて、被洗浄物と電極間の隙間が生じたり、また被洗浄物に含まれる泡等の影響を受けてしまうなどして、適切な電解が阻害されるような事態を防止出来る。
また、逆に挟持力が強すぎて、被洗浄物に含浸させた洗浄液が圧力で絞られて洗浄液が必要以上に外部に排出されてしまい適切な電解が阻害されるようなことが防止される。
なお、所定の圧力とは被洗浄物の厚みなどを考慮して適切に設定されるが、本発明においては、バネなどの手段で所定の圧力を維持させ続けることが含浸されている被洗浄物の適切な電解に、重要な構成となる。
【００２０】
また、本発明の開示に係るシミ抜き器は、被洗浄部を挟持する挟持手段と、被洗浄部に電圧を印加する一対の電極とを備えたものである。
【００２１】
このように本発明の開示によるシミ抜き器によれば、電解された洗浄液を被洗浄物に効率よく適用させることが出来る。また、洗浄液が含浸された状態のまま電圧が印加されるので、含浸された洗浄液のみが電解されることになり、効率が良く、無駄な電力や洗浄液の消費がない。特にあて布のような含水性のある材質を被洗浄物とともに挟持するようにすれば洗浄力により離脱されたシミ成分を直ちに吸着させることが出来、よりシミ抜き効果が向上する。またシミなどの汚れの個所に対して直接的に電極により挟持するので、帯電されたシミ成分や汚れを電極側に電気的に引きつける力が作用し、シミ成分が離脱しやすくなり、更なる洗浄力の向上が期待できる。
加えて本発明のシミ抜き器によれば、洗浄液が電解により洗浄力が向上するので電解前の状態では水や危険性の小さな洗浄液を使用出来る。したがって、強力な洗浄液を予め準備しておく必要もないので、使用者に対する肌荒れや誤飲による健康障害の虞も軽減できる。
更には、一方の電極の近傍がアルカリ性、他方の電極の近傍が酸性の洗浄液となるので、性質の異なる洗浄液をシミ成分に対して作用させることが出来、シミ成分の種類が複合化されている場合や最適な液性が不明な場合などに都合が良い。
【００２２】
また、本発明の開示に係るシミ抜き器は必要に応じて、前記挟持手段には、洗浄液を蓄えることのできる貯液部が設けられ、貯液部から被洗浄部へ洗浄液が供給されるようにしたものである。
【００２３】
このように本発明のシミ抜き器は洗浄液が供給されることで被洗浄物の乾燥を防止できるので、より良好に電解させることが出来る。なお、電極に貫通孔を設けたり、電極をメッシュ状とすることで、貯液部から電極の孔を通過させて被洗浄物に洗浄液を供給出来るようにすることも考えられ、この場合、電極の表面が凹凸形状となるので被洗浄物に対する挟持力が向上し、たま、電極間距離を狭めてより電解能力を高められる。
【００２４】
また、本発明の開示に係るシミ抜き器は必要に応じて、前記電極の少なくとも一方には、被洗浄物と電極面との間の距離を離間させるためのセパレーターが備わったものである。
【００２５】
このように本発明のシミ抜き器はセパレーターにより電極と被洗浄物の間に空間を保つことが出来、この空間に存在する洗浄液が良好に電解される。
セパレーターを一方の電極にのみ備えると、被洗浄部を片寄せることになり、被洗浄部が一方の電極に近づくため、例えば陰極側に被洗浄物を寄せると、よりアルカリ性の度合いが強い環境下にシミ成分をおくことが出来、シミ成分がアルカリ性の洗浄液に洗浄されやすい場合は高い洗浄効果を期待できる。逆にシミ成分の種類や洗浄液の仕様によっては酸性の環境下に置きたい場合には被洗浄部を陽極側によせるようにすることが可能であり、やはり高い洗浄力を期待できる。 
【図面の簡単な説明】
【００２６】
【図１】本発明の第１の実施形態に係るシミ抜き器の側面図である。
【図２】本発明の第１の実施形態に係るシミ抜き器の側面図である。
【図３】本発明の第１の実施形態に係るシミ抜き器の挟持状態を示す断面図である。
【図４】本発明の第１の実施形態に係るシミ抜き器の電極部分の平面図である。
【図５】本発明の第１の実施形態に係るシミ抜き器の平面図である。
【図６】本発明の第１の実施形態に係るシミ抜き器の表示部を示す図である。
【図７】本発明の第２の実施形態に係るシミ抜き器の側面図である。
【図８】本発明の第２の実施形態に係るシミ抜き器の挟持状態を示す断面図である。
【図９】本発明の第２の実施形態に係るシミ抜き器の挟持状態を示す断面図である。
【図１０】本発明の第３の実施形態に係るシミ抜き器の使用状態を示す図である。
【図１１】本発明の第３の実施形態に係るシミ抜き器の挟持状態を示す断面図である。
【図１２】本発明の第３の実施形態に係るシミ抜き器の挟持状態を示す断面図である。
【図１３】本発明の第３の実施形態に係るシミ抜き器の挟持状態を示す断面図である。
【図１４】本発明の第３の実施形態に係るシミ抜き器の挟持状態を示す断面図である。
【図１５】本発明のその他の実施形態を示す断面図である。
【図１６】本発明のその他の実施形態を示す断面図である。
【図１７】本発明の従来技術を示す参考図である。
【発明を実施するための形態】
【００２７】
（本発明の第１の実施形態）
以下本発明の一実施形態に係るシミ抜き器１を前記図１ないし図６に基いて説明する。
図１に示すように本実施形態に係るシミ抜き器１は、回動軸２を中心に上ケース３と下ケース４が開閉するトング形状であり、常時は開いた状態に付勢されている。そして、上下ケースのそれぞれの先端側に上電極５と下電極６が配設されている。
【００２８】
上ケース３には上下電極５、６間に印加する電圧の制御を行う制御部（図示せず）が内蔵され、上面に極性切り替えスイッチ７と強さ切り換えスイッチ１５が、側部にスタートスイッチ８が設けられている。
【００２９】
４７はガード突起であり、上記電極が直接当接することが避けられるように上ケース３の下面側から突出している。このガード突起４７により電極が直接当接するのを防止して、電気的（ショート）・機械的（破損）なダメージを負わないようにしている。
ガード突起４７は本実施形態では上電極５と回動軸２の間に上ケース３側から突設されているが、上下ケースの先端側に設けても良く、より接触の虞がないように各電極の周りを取り囲むように形成しても良い。
更には、両電極が電気的に接触するのを防止する方法として、電解時の異常電流を監視して回路的に防止する方法も考えられる。
【００３０】
本実施形態では上ケース３には更に給液口１０から供給された洗浄液を貯めることの出来る貯液部９が備わり、貯液部の洗浄液を被洗浄物１３に含浸出来るようになっている。このような貯液部９が無い場合でも被洗浄物１３に予め十分に洗浄液を含浸させておくようにすれば洗浄液の電解は可能であり、貯液部９や後述する貫通孔１２は必須の構成ではない。なお、洗浄液は、市販の洗浄液やこのシミ抜き器１のために専用に生成されたもの以外に水道水等も含まれる。
【００３１】
貯液部９を備える場合は上電極５には図４（ａ）（ｂ）に示すような貫通孔１２が開けられており、貯液部９の水もしくは洗浄液が貫通孔１２を介して被洗浄物１３に供給されることになる。
なお、貯液部９は下ケース４側に設けてもよく、その場合は下電極６側に貫通孔１２が穿設される。
また、貫通孔１２は図４（ａ）に示すように各電極のいずれかもしくは両方に穿設される場合の他、図４（ｂ）に示すように電極５、６の周辺のケース部分にのみ穿設させても良い。もちろん電極とその周辺のケースの両方に貫通孔１２を穿設することも可能である。
【００３２】
また、シミ抜き器１は電源コード１１から電力が供給されることとしているが、コードレスとして、乾電池や充電池による駆動も考えられる。下記する第２実施形態では乾電池による駆動の例を挙げている。
【００３３】
シミ抜き器１は、まず図２に示すように上下ケースが拡開された状態で被洗浄物１３を差し込み、その後上下電極５、６で被洗浄物１３を挟持してスタートスイッチ８を操作する。
【００３４】
シミ抜き器１の上下ケース３、４は回動軸２を中心常時開く方向に付勢されているので、使用者は上下ケース３、４を閉じる方向に力を加えて被洗浄物１３挟む。使用者は挟まれた状態を維持させるために持ち続ける必要が有るが、被洗浄物１３に対する圧力が安定しないので、これに限らず、被洗浄物１３に対する圧力を所定のものと出来るように、シミ抜き器１に閉じた状態を維持できるロック手段を別途形成したり、また図７に示すようなバネにより所定の圧力を維持できる常閉型の上下ケースを採用することが望ましい。
このような構成とすれば手で挟持状態を維持させる必要が無く、また挟持力を所定の圧力に設定させることができなる。所定の圧力を維持させる方法はこの実施形態に限らず、種々考えられる。なお、適切な挟持圧力は、電極と被洗浄物の間隙を無くすために、また泡などの影響を電解が受けないように１平方センチメートル当たり、１０グラム以上とすることが望ましいが、圧力が強すぎると、被洗浄物に含浸された洗浄液が絞られて、含浸される洗浄液の量が減り、電解しにくくなることも留意すべきである。
本実施形態では、両電極間の距離を出来るだけ近接させた状態でロック出来るシミ抜き器を採用しているが、具体的には被洗浄物と必要に応じて介在するあて布の合計の厚みより近接させた状態に閉じた状態でロック出来るようにしている。
被洗浄物の厚み、あて布の有無等で、両電極の被洗浄物に対する圧力は変化するが、両電極間のロック時のギャップｇは、被洗浄物１３に対する両電極の圧力を１平方センチメートル当たり、少なくとも１００グラム以上となるように１ｍｍ以下に設定している。洗浄液が含浸された被洗浄物１３を適切に電解するのに適した圧力は、１平方センチメートル当たり、１０グラム以上１０００グラム以下であり、更に望ましくは１平方センチメートル当たり、５０グラム以上５００グラム以下が最適な範囲である。
なお、本実施形態では被洗浄物の厚み等に合わせて両電極間のロック時のギャップｇを使用者側で自由に調整し、圧力を調整することも考えられる。
更には後述する実施形態の場合も含め、上下電極５、６の少なくとも一方に上下ケース３、４に対してばねを介在させるなどの手段で弾性的に支持させて、圧力が強くなり過ぎるのを軽減させるようにしても良い。
いずれにしても、本発明においては、使用者の挟み力で挟むシミ抜き器より、事前に挟持圧が所定範囲内に設定された、あるいは設定可能なシミ抜き器を使用することが望ましい。
【００３５】
被洗浄物１３が挟まれた状態を図３（ａ）に基いて説明すると、被洗浄物１３はあて布１７を介して上下電極５、６に押圧されている。あて布１７は吸液性のある素材からなっており、洗浄液を蓄えることができるとともに被洗浄物１３のシミ成分１４を捕捉する機能も有す。本実施形態の場合、あて布１７と被洗浄物１３に洗浄液を含浸させるには上述のように貯液部９から貫通孔１２を経て行うが、洗浄液を十分に含浸させておけば電極側に洗浄液供給用の貫通孔１２は不要である。
又、貯液部９からの洗浄液を図示しないポンプなどの加圧手段で勢い良く被洗浄物１３に当てながら供給させることも可能である。この場合、水流の力がシミ成分１４の離脱力として作用し、複合的効果が期待できる。
【００３６】
更には、被洗浄物１３に洗浄液を供給する方法としては、例えば図３（ｂ）のようにスポンジのような吸液性のある蓄液材３２を電極と被洗浄物１３の間に介在させ、貯液部９と同様の機能をもたせることも可能である。その他、被洗浄部１３に洗浄液を供給させる方法は後述する図１０に示すように洗浄容器２３に貯めた洗浄液に浸すなどの方法もあり、実施形態に限定されない。
【００３７】
また、あて布１７は必須のものではなく、被洗浄物１３の一方にのみ配設することやあて布１７をせずに被洗浄物を挟持しても良い。あて布１７が存在しない場合、シミ成分１４が分解された状態で他に捕捉されず留まることになりシミ抜き効果が低減するが、直後に通常の洗濯をすることで対処する。
【００３８】
また、上電極５側および／または下電極６側に貫通孔１２を形成する場合、洗浄液の供給用としての機能の他に、電解能力の向上が期待でき、電極面が粗面化されることで挟持力を高められる効果もある。更には貫通孔１２の形状を工夫してシミ成分１４を捕捉させることも考えられる。この場合、次回使用に備えて電極に付着したシミ成分１４を除去しておくことが望ましい。なお、貫通孔１２の穿設に代えて電極をメッシュ状にすることも考えられる。
【００３９】
シミ抜き器１は、スタートスイッチ８を操作し、上電極５と下電極６との間に電圧を印加することで、含浸された洗浄液が電気分解され、一方の電極側でアルカリ度の高い洗浄液が生成されるとともに、他方の電極側で酸性度の高い洗浄液が生成される。
【００４０】
７は極性切り換えスイッチであり、操作により各電極５、６の極性を切り換えることが可能である。本実施形態では上電極５側を陽極側とするモード、陰極側とするモード、陽極側と陰極側を交互とするモードに切り換えられるようになっている。
【００４１】
１５は強さ切り換えスイッチであり、操作により電解の強さを切り換えることが出来る。そして使用者は強さ切り換えスイッチ１５と極性切り換えスイッチ７とを操作して、被洗浄物に対して、電解をかけて必要に応じて酸性、アルカリ性、中性の洗浄液を供給できる。
【００４２】
例えば洗浄液がアルカリ性の度合いが高めると洗浄力が向上するようなものであれば、上電極５を陰極側とし、下電極６を陽極側にして上電極５近傍に存在する洗浄液をアルカリ性として洗浄性能を向上させている。
【００４３】
性能の向上した洗浄液は上電極５近傍に生成されるため、被洗浄物１３の上方に位置するあて布１７に含浸された洗浄液や被洗浄物１３の上方側に含浸された洗浄液の洗浄力が向上して下降し被洗浄物のシミ成分１４に作用することになる。
【００４４】
なお、被洗浄物１３が上電極５側に寄った配置となれば被洗浄物１３に含浸された洗浄液がよりアルカリ性となりやすく特に望ましい。被洗浄物１３を一方の電極側に寄せるには一方側のあて布１７の厚みを他方のあて布に比べて薄くするなどの方法が考えられるが、これに限らない。
【００４５】
また、この実施形態では洗浄液がアルカリ性の度合いを高めると洗浄力が向上するように調合されているが、逆に洗浄液が酸性の度合いが高めると洗浄力が向上するように調合されている場合、上電極５を陽極側とし、下電極６を陰極側にして上電極５近傍を酸性の環境下にすることも当然可能である。
【００４６】
更には洗浄液が電解されていれば中性でも良好に洗浄力が向上するのであれば洗浄物を片寄せる必要はなくなる。この場合の電解制御は上記陽極側とするモード、陰極側とするモードおよび陽極側と陰極側を交互とするモードのいずれでも良く、特に交互モードはシミ成分１４をクーロン力により繊維から離脱させる作用が特に有効になり望ましい。
【００４７】
本発明に係るシミ抜き器１は専用の洗浄液を用いる以外に市販の洗浄液や水道水を適用することも可能である。水道水の場合は強アルカリ性水や強酸性水が洗浄に適していることが知られており、コスト的にも優れ、環境にも優しく望ましい。
【００４８】
上述したように強さ切り換えスイッチ１５や極性切り換えスイッチ７と合わせて、各電極近傍のｐＨ値を適切にコントロール出来るので、洗浄液の性質、シミ成分１４の種類。被洗浄物１３の素材等で適切に対応させるが、一般的な使用者は、適切な対応が出来ないので手動で調整出来るように図６（ａ）のような対応表を記載した表示部１６上ケース３の上面に備えている。上ケース３の上面には図５に示すように極性切り換えスイッチ７と強さ切り換えスイッチ１５も同一平面上に備わっているので表示部１６を直視しながら調整が可能となっている。
【００４９】
なお、上述の説明ではシミ成分１４は被洗浄物１３の上方に位置するあて布１７に含浸された洗浄液のアルカリ性の度合いが向上することで洗浄力が向上するものであるが、被洗浄物１３に含浸された洗浄液も電解されていることから洗浄性能が向上したものとなっている。これは被洗浄物の位置が各電極から同じ程度の距離であってｐＨ値的には中性に近いが洗浄液が電解されることで洗浄力が向上する物質が生成されているからである。
この時に電気的な力でシミ成分１４の被洗浄物１３からの離脱も起こっているが、この離脱作用を重視する場合は、極性にこだわる必要はなく、上述のような交互印加や特定の印加パターンを作成して電圧を印加させても良い。
【００５０】
また、被洗浄物１３のシミ成分１４はどのようなｐＨ値の洗浄液が最適なのか不明であっても、被洗浄物１３には、本実施形態により、電解されたアルカリ性の洗浄液、電解された酸性の洗浄液、電解された中性の洗浄液のいずれをもが作用可能となる構成なので、最適な洗浄液を作用させることが出来る。
【００５１】
また、洗浄液を電解することで、液性の変化による洗浄力の向上、電解物質の生成による洗浄力の向上に加え、イオン化されたシミ成分１４が電極側へ移動しようとする力により、シミ成分１４が繊維から離脱しやすくなることも洗浄効果の向上に寄与すると考えられる。
【００５２】
このように本実施形態によれば、被洗浄物１３に洗浄液が含浸された状態のまま電解されるので、含浸された洗浄液のみが電解されることになり、効率が良く、無駄な電力や洗浄液の消費がない。被洗浄物１３に洗浄液を含浸させる方法としては、上述に説明したように、貯液部９をシミ抜き器１内に設けて徐々に供給する方法と、吸液性のあるスポンジのような蓄液材３２を電極５、６と被洗浄物１３の間に介在させて洗浄液を供給する方法と、被洗浄物１３そのものの吸液性により洗浄液を所定時間保持させておく等を示したが、後述する図１０に示すように洗浄液を満たした容器内に電極ごと浸漬させることも考えられ、電解中に洗浄液を含浸させる手段は本発明の実施形態に限定されるものではない。
また、電解される洗浄液は水道水のような水でも良く、水を電解する場合シミ成分１４が含まれた汚水を電解しているとも言える。
【００５３】
電解時間は被洗浄物１３の乾燥時間も考慮して５分〜２０分程度が設定されており、所定時間経過後に使用者はロック手段を解除して被洗浄物１３をとり出す。
【００５４】
（本発明の第２の実施形態）
次に図７ないし図９に第２の実施形態と示す。
図７に示すようにこの実施形態ではレバー１９のばね１８の付勢力に抗した押圧により下ケース４を下方に下げる常閉型のシミ抜き器２１を示している。したがって常時は、ばね１８の設定値による所定の圧力を付与できるように成っており、本実施形態では被洗浄物１３を挟持した時に圧力が１平方センチメートル当たり、５０グラムから３００グラムとなるように設定されている。このようにばね１８により被洗浄物に圧力を与える場合、上記実施形態に比べて被洗浄物の厚みの違いによる圧力の変動が軽微であり、電解に適した圧力を確実に得られる。
２２は電池であり、その他の構成は第１の実施形態に準じている。
この実施形態においては表示部１６に使用方法として図６（ｂ）に示すように「被洗浄物１３の下面にあて布１７をすること」という旨が記載されており、使用者は表示内容に基づき図８のようにあて布１７と被洗浄物１３が重なって両電極に挟持されることになる。
【００５５】
このように両電極に挟持されるとあて布７と被洗浄物１３に含浸された洗浄液が電解され、被洗浄物１３が上電極５に近づくので被洗浄物１３はアルカリ性もしくは酸性のいずれかの液性になる。上記表示部１６には更に図６（ａ）に示すようなシミ成分の種類と洗浄液の望ましいｐＨ値の関係が記載されており、シミ成分１４の種類に応じて極性を切り替えて電極に印加すればシミ成分１４の存在する被洗浄物１７側の洗浄液が適切なｐＨ値となり、洗浄効果が向上する。洗浄効果によりシミ成分１４は被洗浄物１３から離脱して、あて布１７側へ移動し吸着される。このようにしてシミ抜きが行われ、所定時間経過後にシミ抜き器２１を拡開して重なった被洗浄物１３とあて布を取り出し、被洗浄物１３は必要に応じて通常の洗濯をすればシミ抜きが完了する。
【００５６】
以上のようにあて布１７をシミ成分の吸着と被洗浄物の一方の電極側への片寄せ手段として利用すれば、ｐＨ値がコントロールされた洗浄液を被洗浄物に供給することが出来る。
この実施形態ではあて布１７を片寄せ手段としたが、上述のスポンジのような蓄液材３２も片寄せ手段となり得る。
【００５７】
この実施形態によれば、片寄せ手段の存在により、被洗浄物１３に作用させる洗浄液を、洗浄力の向上の期待できる側の液性にすることが出来る。
【００５８】
（本発明の第３の実施形態）
図９は第３の実施形態を示しており、上記被洗浄物１３とあて布１７の関係において隔膜２０を介在させた例を示している。隔膜２０は被洗浄物１３の上下の一方の側に介在しており、具体例としては上から上電極５、あて布１７、被洗浄物１３、隔膜２０、あて布１７、下電極６の順に積層されている。
【００５９】
隔壁２０の存在によりそれぞれの電極側のｐＨ値をより確実に区画出来るので、被洗浄物１３へのアルカリ性もしくは酸性の度合いを向上させることが出来る。
この隔膜２０は例えば専用のイオン交換膜を適用できるが、電解物質の混合を防止する目的なので不織布等の多孔質材であれば機能する。したがって隔膜において、市販の不織布を利用すれば、離脱したシミ成分を捕捉可能であり使い捨てが可能となってあて布と同等の機能を有すので好都合である。
【００６０】
（本発明の第４の実施形態）
図１０は第４の実施形態を示しており。洗浄容器２３に洗浄液を蓄え、洗浄液中に両電極２４、２５を浸す例である。
この実施形態においてもシミ抜き器３１としての基本構成は上記実施形態と同様であり、被洗浄物１３は電極２４、２５に挟持されている。なお、上述のようにあて布や隔膜を必要に応じて被洗浄物１３とともに積層することも可能である。２６はシミ抜き器３１が洗浄容器２３内に落下するのを防止する落下防止突起である。
【００６１】
図１０、図１１に示すように各電極２４、２５に挟持された被洗浄物１３は各電極２４、２５の近傍においてｐＨ値がアルカリ性側と酸性側に偏っており、アルカリ性または酸性で効果を発揮する洗浄液使用すれば被洗浄物１３により良好な洗浄力を作用させることが出来る。
【００６２】
また、洗浄液が中性であっても電解されることで生成される物質により洗浄力を向上するような性質の場合、被洗浄物１３含まれる洗浄液に対して直接的に電解をかけることが出来るので、例えば図１７に示すように貯液されている洗浄液全体を電解して被洗浄物に作用させるような比較例に比べ極めて効率が良い。
【００６３】
被洗浄物１３を一方の電極側に片寄せる必要がある場合には図１４に示すように片寄せ手段としてのあて布１７を積層する。  
【００６４】
更には本実施形態の場合、上記両電極を洗浄液中に浸すことができるので被洗浄物１３を一方の電極側に片寄せる場合にも、片寄せ手段があて布１７のような含水性がある必要はなく、例えば図１２に示すように一方の電極側に洗浄液が自由に流入出来る連通孔２９が形成されたスペーサー２７のようなものであっても良い。
【００６５】
このような構成により、被洗浄物１３を一方の電極側に寄せて電解時にスペーサー２７により形成された洗浄液空間２８の洗浄液を一方の電極側の液性とすることで、被洗浄物１３を他方の電極側の液性の洗浄液に浸すことが出来る。なお、スペーサー２７は電極と一体化させても良い。
【００６６】
また、図１３に示すように上記洗浄液空間２８はスペーサー２７を両電極に設けることで被洗浄物１３に対し両側の異なる液性の洗浄液を作用させることが出来る。
なお、この実施形態では洗浄容器内の洗浄液を撹拌もしくは振動させることで更なる洗浄効果の向上が期待できる。これは被洗浄物への物理的作用の他に、シミ成分１４に作用させる電解された洗浄液が留まることなく新しい洗浄液を供することが出来ることが洗浄効果の向上に寄与している。
洗浄液の撹拌手段は別途洗浄容器内に備えること以外に電極部分を搖動や回動させる機構を設けてもよく、更には電極自体を超音波振動させることで洗浄液の移動作用に加え、シミ成分への物理的作用においても十分に複合作用を期待でき、望ましい。
シミ成分への物理的作用として電極を超音波振動させることは、本発明の全ての実施形態に適用出来、その他の例として電極を加熱させることも複合作用を期待できる実施形態となる。
【００６７】
以上のように、本発明は電極で挟んで被洗浄物を電解しているので、被洗浄物に含浸された洗浄液が電解水となり、電解により生成された成分により洗浄効果を向上させることが出来る。特に電極の近傍においては一方のｐＨ値側に偏るので酸性またはアルカリ性のいずれかにおいて洗浄効果が向上するような洗浄液を適用させればシミ抜き効果が向上するシミ抜き器を提供できることになる。
【００６８】
特に洗浄に適した電解水を別途生成して被洗浄物に作用させるのに比べ、濡れた被洗浄物そのものを電解することになるので電解対象となる水の量を格段に少なくすることが出来、電力が節約でき、電池式での電解も可能となって使い勝手の良いシミ抜き器を提供出来る。
また小さな電力で強アルカリ性または強酸性の電解水を生成可能となり、生成された電解水を直ちに洗浄に使用出来る点も洗浄能力の向上に寄与している。
【００６９】
以上説明した実施例において、被洗浄物はバネ力で挟持されているが、シミが衣類の中央付近に発生した場合、回転軸が邪魔をして上手く電極を挟持出来ない可能性がある。そのため、本発明におけるシミ抜き器は挟持方法として各電極に磁力を待たせる方法や電極周辺に磁石を配置する方法などで磁力により挟持させても良い。この場合両電極を対向させて配置し、配線のみが図示されない本体部に接続されるようにする。したがって、回動軸がないので自由にシミ部分に電極を当接できる。その他両電極の挟持手段は磁力に代えて、図１５に示すような上電極４１のケース４３と下電極４２のケース４４を被洗浄物４５とともに嵌合して保持させてもよい。この場合も両電極を対向させて配置し、各電極の配線４６のみが本体部に接続されるようにするので回動軸がなく、自由にシミ部分に電極を当接できる。挟持手段は実施形態に限定されず種々考えられる。
【００７０】
更には、電極は平板上のものに限らず図１６に示すように一方もしくは両方の電極５１、５２を円筒状とすることも考えられる。円筒状とした場合、手動もしくは電動により回動させて被洗浄物上を移動することが容易になり、広範囲のシミ成分に対して、好適である。
【００７１】
なお、上述の全ての実施形態において、電極の成分が溶出する成分によって逆に被洗浄物を汚染するようなことがないように、電極の表面を処理することが望ましく、また、電極の材質としては、金属以外にカーボン等でもよい。
【００７２】
以上のように本発明によれば洗浄に適した電解水を別途生成して被洗浄物に作用させるのに比べ、濡れた被洗浄物そのものを電解することになるので電解対象となる水の量を格段に少なくすることが出来、電力が節約でき、電池式での電解も可能となって使い勝手の良いシミ抜き器を提供出来る。
【符号の説明】
【００７３】
１    シミ抜き器
５    上電極
６    下電極
１３    被洗浄物
１７    あて布
【図１】
2016043026.tif 000003
【図２】
2016043026.tif 000004
【図３】
2016043026.tif 000005
【図４】
2016043026.tif 000006
【図５】
2016043026.tif 000007
【図６】
2016043026.tif 000008
【図７】
2016043026.tif 000009
【図８】
2016043026.tif 000010
【図９】
2016043026.tif 000011
【図１０】
2016043026.tif 000012
【図１１】
2016043026.tif 000013
【図１２】
2016043026.tif 000014
【図１３】
2016043026.tif 000015
【図１４】
2016043026.tif 000016
【図１５】
2016043026.tif 000017
【図１６】
2016043026.tif 000018
【図１７】
2016043026.tif 000019